(57)【要約】【課題】外障子の下框が溶融しても、外障子からパネル材が脱落するのを防止できる建具を提供すること。【解決手段】窓枠１０内に固定された上部障子２０（外障子）と該上部障子２０の室内側を摺動する下部障子（内障子）とを備える上げ下げ窓１（建具）であって、上部障子２０は、下框２２を有して框組みされた内部に複層のガラスパネル２４（パネル材）を嵌め込んで構成されるとともに、窓枠１０の左右の縦枠１３と下框２２との間に設けられる不燃性の固定装置５０を介して当該窓枠１３に固定され、下框２２には、不燃性の框補強材７０が設けられ、框補強材７０が固定装置５０に連結されている。【選択図】図３
2018044435.tif 000002
【特許請求の範囲】
【請求項１】
窓枠内に固定された外障子と該外障子の室内側を摺動する内障子とを備える建具であって、
前記外障子は、下框を有して框組みされた内部にパネル材を嵌め込んで構成されるとともに、前記窓枠の左右の縦枠と前記下框との間に設けられる不燃性の固定装置を介して当該窓枠に固定され、
前記下框には、不燃性の框補強材が設けられ、
前記框補強材が前記固定装置に連結される
ことを特徴とする建具。
【請求項２】
請求項１に記載の建具において、
前記下框は、前記パネル材を保持する保持用開口部を備え、
前記框補強材は、前記保持用開口部の下面と面接触する支持片を備える
ことを特徴とする建具。
【請求項３】
請求項１または請求項２に記載の建具において、
前記下框は、前記パネル材の下端縁を保持する不燃性の保持材を備え、
前記框補強材は、前記保持材と連結される
ことを特徴とする建具。
【請求項４】
請求項１から請求項３のいずれか一項に記載の建具において、
前記内障子は、前記外障子の室内側に沿って上下にスライドすることにより開閉可能であり、
前記外障子の下框は、前記内障子の内召合せ框の室外側に位置する外召合せ框であり、
前記パネル材は、複層のガラスパネルである
ことを特徴とする建具。
【発明の詳細な説明】
【技術分野】
【０００１】
本発明は、窓枠内に固定装置を介して固定される外障子と該外障子の室内側を摺動する内障子とを備えた上げ下げ窓などの建具に関する。
【背景技術】
【０００２】
住宅等の外壁開口部に設けられる建具として、上下一対の障子のうち、外障子である上部障子が窓枠内の上部に固定されるとともに、下部障子が窓枠内で上下にスライドすることで開閉自在に設けられた上げ下げ窓が知られている（例えば、特許文献１参照）。
【０００３】
このような上げ下げ窓では、上部障子が固定装置を介して窓枠内の上部に固定されている。固定装置は上部障子の下辺部両端側にそれぞれ設けられており、窓枠の縦枠に固定される垂直支持片部と、上部障子の下框に固定される水平支持片部とを有した略Ｌ字形状に形成されている。この固定装置により上部障子の下辺部が支持され、当該上部障子が窓枠内で下方に落下することなく固定される。
【先行技術文献】
【特許文献】
【０００４】
【特許文献１】特開２００７−１１３２１７号公報
【発明の概要】
【発明が解決しようとする課題】
【０００５】
特許文献１に記載されたような従来の上げ下げ窓では、火災時の輻射熱により室外側から加熱された場合、見込み方向の室外側にある上部障子が熱影響を受け易い。このため、上部障子が加熱され、アルミ製の下框が室外側から溶融すると、上部障子に嵌め込まれているガラスパネルを下框で保持することが困難となり、ガラスパネルが脱落する可能性がある。このような状況では、ガラスパネルの脱落によって、上部障子に室内外を連通させる開口部分が生じてしまうことから、そのような上げ下げ窓を防火戸として使用できない。
【０００６】
本発明の目的は、外障子の下框が溶融しても、外障子からパネル材が脱落するのを防止できる建具を提供することにある。
【課題を解決するための手段】
【０００７】
本発明の建具は、窓枠内に固定された外障子と該外障子の室内側を摺動する内障子とを備える建具であって、前記外障子は、下框を有して框組みされた内部にパネル材を嵌め込んで構成されるとともに、前記窓枠の左右の縦枠と前記下框との間に設けられる不燃性の固定装置を介して当該窓枠に固定され、前記下框には、不燃性の框補強材が設けられ、前記框補強材が前記固定装置に連結されることを特徴とする。
【０００８】
本発明の建具によれば、下框に設けられてパネル材の荷重を受ける框補強材は不燃性とされ、同様に不燃性を有する固定装置に連結され、ひいてはこの固定装置を介して窓枠の縦枠に固定されることとなる。従って、火災時の輻射熱によって外障子の下框が室外側から溶融しても、窓枠に固定された框補強材によってパネル材を継続して支持でき、框組みに嵌め込まれたパネル材が下框の呑込部分から外れることがなく、パネル材の脱落を防止できる。
【０００９】
本発明の建具では、前記下框は、前記パネル材を保持する保持用開口部を備え、前記框補強材は、前記保持用開口部の下面と面接触する支持片を備えることが好ましい。
このような構成によれば、框補強材が保持用開口部の下面と面接触することで、パネル材を安定して支持でき、パネル材の脱落をより確実に防止できる。
【００１０】
本発明の建具では、前記下框は、前記パネル材の下端縁を保持する不燃性の保持材を備え、前記框補強材は、前記保持材と連結されることが好ましい。
このような構成によれば、パネル材を保持する保持材と框補強材とが連結されるので、下框が溶融した際には、パネル材を保持材ごと框補強材にて確実に支持でき、保持状態をより良好に維持できる。従って、パネル材をほぼ通常の位置で支持でき、パネル材の位置ずれによる開口部分を一層生じにくくできる。
【００１１】
本発明の建具では、前記内障子は、前記外障子の室内側に沿って上下にスライドすることにより開閉可能であり、前記外障子の下框は、前記内障子の内召合せ框の室外側に位置する外召合せ框であり、前記パネル材は、複層のガラスパネルであってもよい。
このような構成によれば、建具として、窓枠と、この窓枠内に固定される外障子と、窓枠内に上下スライド開閉する内障子とを備えた上げ下げ窓とすることができ、防火戸として用可能な上げ下げ窓を提供できる。
【発明の効果】
【００１２】
本発明によれば、外障子の下框が溶融しても、外障子からパネル材が脱落するのを防止可能な建具を提供できる。
【図面の簡単な説明】
【００１３】
【図１】本発明の第１実施形態に係る建具を示す縦断面図。
【図２】図１のＩＩ−ＩＩ線に沿った横断面図。
【図３】前記建具を室外側から見た外観斜視図。
【図４】前記建具を室内側から見た内観姿図。
【図５】前記建具の外障子の下辺部を支持する固定装置を室外側から示す断面図。
【図６】前記外障子の下框を示す縦断面図。
【図７】前記下框の室外側が溶融して落下した状態を示す縦断面図。
【図８】本発明の第２実施形態の要部を示す縦断面図。
【発明を実施するための形態】
【００１４】
［第１本実施形態の構成］
以下、本発明の実施形態を図面に基づいて説明する。
図１〜図４において、上げ下げ窓１は、戸建て住宅等の建物の外壁開口部に設けられて建物の室内空間と室外空間とを仕切る本実施形態に係る建具であって、上枠１１、下枠１２、および左右の縦枠１３を四周枠組みした窓枠１０と、この窓枠１０の内側に支持された上部障子２０（外障子）および下部障子３０（内障子）とを備えて構成されている。
【００１５】
窓枠１０の上枠１１、下枠１２、および左右の縦枠１３は、室外側に位置するアルミ製の押出し形材と室内側に位置する樹脂製材料とが組み合わされた複合体によって形成されている。
上部障子２０は、上框２１、下框２２（外召合せ框）、および左右の縦框２３を四周框組みした内部に、複層のガラスパネル２４（パネル材）を嵌め込んで構成されている。上框２１および左右の縦框２３は、室外側に位置するアルミ製の押出し形材と室内側に位置する樹脂製材料とが組み合わされた複合体によって形成されており、下框２２は、アルミ製の押出し形材によって形成されている。
下部障子３０は、上框３１（内召合せ框）、下框３２、および左右の縦框３３を四周框組みした内部に、複層のガラスパネル３４を嵌め込んで構成されている。上框３１、下框３２および左右の縦框３３は、室外側に位置するアルミ製の押出し形材と室内側に位置する樹脂製材料とが組み合わされた複合体によって形成されている。
【００１６】
窓枠１０、上部障子２０および下部障子３０に使用される樹脂製材料は、ポリ塩化ビニル樹脂（ＰＶＣ）によって構成されている。なお、ＰＶＣは、火炎から離されていれば消火する自己消火性に優れるため、これ自体が火炎に直接さらされない限り、発火可能性は低い。
【００１７】
上部障子２０は、窓枠１０の上枠１１および縦枠１３に位置決めされて固定された固定障子であり、下部障子３０よりも室外側に設けられている。
下部障子３０は、窓枠１０の縦枠１３に案内され、上部障子２０の室内側に沿って上下スライド開閉可能に支持された可動障子である。
これらの上部障子２０の下框２２（外召合せ框）と下部障子３０の上框３１（内召合せ框）とが見込み方向に重なると、上げ下げ窓１が閉じられるようになっている。
下部障子３０の上框３１の略中央部にはクレセント錠３５が設けられ、上部障子２０の下框２２には錠受け２５が設けられており、上部障子２０および下部障子３０を閉じた状態でクレセント錠３５を錠受け２５に係合させることで、上げ下げ窓１が施錠されるようになっている。
【００１８】
窓枠１０の縦枠１３は、見込み方向に延びる見込み片部１３１と、見込み片部１３１の室内側、中間部、および室外側からそれぞれ見付け方向内側に延びる室内側見付け片１３２、中間部見付け片１３３、および室外側見付け片１３４とを有して形成されている。
なお、本実施形態での室内側見付け片１３２は、樹脂製材料によって形成され、見込み片部１３１および室外側見付け片１３４がアルミ製の押出形材の一部、中間部見付け片１３３がアルミ製の押出形材と樹脂製材料の組み合せとして形成されている。
【００１９】
下部障子３０は、上框３１の両端に設けられた樹脂製の上部摺動片３６と、下部障子３０の下端部に連結された下部摺動片３７とが、縦枠１３の室内側見付け片１３２および中間部見付け片１３３間に案内されることで上下スライド可能に構成されている。
上部障子２０は、縦枠１３の中間部見付け片１３３および室外側見付け片１３４間に設けられる固定装置５０によって、下辺両端部である下框２２の端部および縦框２３の下端部が支持されるとともに、上辺両端部である上框２１の端部および縦框２３の上端部に取り付けた位置決め部材６０が上枠１１によって位置決めされることで窓枠１０に固定されている。下框２２には、室内側から上方に延出した延出片２２Ａ（図１，６）が設けられている。
【００２０】
次に、上部障子２０の固定構造について図５、図６も参照して説明する。
図５は、上部障子２０の下辺部を支持する固定装置５０を室外側から示す断面図である。図６は、上部障子２０の下框２２を示す縦断面図である。
図１〜図３、図５、図６に示すように、固定装置５０は、縦枠１３の見込み片部１３１に固定される受け材５１と、この受け材５１に対して着脱自在かつ固着可能に設けられるとともに上部障子２０の下辺部を支持可能な固定材５２と、固定材５２を覆う樹脂製（ＡＳＡ）の固定材カバー５３（図１，２）とを備えて構成され、固定材カバー５３を除いて不燃性を有している。
【００２１】
受け材５１は、金属板材の折り曲げ加工により成形され、縦枠１３の見込み片部１３１に固定される上下の固定片部５１１と、これらの固定片部５１１から縦枠１３の見付け方向内側にコ字形に突出する固着部５１２とを有して形成されている。そして、受け材５１は、縦枠１３の見付け方向外側から螺合されるビス５１３によって縦枠１３の見込み片部１３１に固定されるようになっている。また、固着部５１２には、固定材５２を螺合するための２つのビス孔が設けられている。
【００２２】
固定材５２は、樹脂製（ＡＳＡ）の固定材本体５２１と、この固定材本体５２１に取り付けられた金属製（ステンレス）の固定補強板５２２とを有して形成されている。固定補強板５２２は、金属板材から断面略Ｌ字形に形成されており、受け材５１に固着した状態で略水平に延びる水平支持片部５２２Ａと、略鉛直に延びる鉛直支持片部５２２Ｂとを有して形成されている。一方、固定材本体５２１は、受け材５１に固着した状態で受け材５１を覆うケース部５２１Ａと、このケース部５２１Ａから延出し固定補強板５２２の水平支持片部５２２Ａ下側に沿って延びる水平延出部５２１Ｂと、固定補強板５２２の鉛直支持片部５２２Ｂを係止する係止片部５２１Ｃとを有して形成されている。これらの固定材本体５２１および固定補強板５２２は、係止片部５２１Ｃで鉛直支持片部５２２Ｂを係止することで一体に組み立てられるようになっている。
【００２３】
以上のような固定材５２は、ビス５２３を用いて受け材５１に取り付けられ、ビス５２３を取り外すことで受け材５１から取り外せる、つまり受け材５１に対して着脱自在に構成されている。詳しく説明すると、固定材本体５２１のケース部５２１Ａと固定補強板５２２の鉛直支持片部５２２Ｂとに２本のビス５２３を貫通させ、これらのビス５２３を固着部５１２のビス孔に螺合することで、固定材５２が受け材５１に固着されるようになっており、逆の手順でビス５２３を取り外すことで受け材５１から固定材５２が取り外されるようになっている。さらに、固定材本体５２１の水平延出部５２１Ｂと固定補強板５２２の水平支持片部５２２Ａにビス５２４を貫通させ、このビス５２４を上部障子２０の下框２２を形成する底面部２２３（図５、図６）に螺合することで、上部障子２０が固定装置５０に対して移動不能に支持されるようになっている。
【００２４】
位置決め部材６０は、図１に示すように、上枠１１の突片１１１に当接して上部障子２０の上辺部を、上枠１１に対する左右方向と見込み方向との両方向に位置決めし、上辺部が水平方向に移動しないように規制する部材である。このような位置決め部材６０は、上部障子２０の上辺部に取り付けられ、位置決め部材６０が取り付けられた上部障子２０を窓枠１０に室外側から建て込むことで、位置決め部材６０が縦枠１３の室外側見付け片１３４に係止されて上部障子２０が室外側に倒れないようになっている。さらに、位置決め部材６０が取り付けられた上部障子２０を上方に持ち上げて上辺部を上枠１１に近接させると、位置決め部材６０が突片１１１の傾斜面に当接して室内側に案内され、上部障子２０の上辺部が見込方向に位置決めされる。また、位置決め部材６０の一部が突片１１１に設けられた図示略の切欠きに挿入されることで、上部障子２０の上辺部が上枠１１に対して左右方向に位置決めされるようになっている。
【００２５】
図１、図３、図５、図６において、本実施形態の上部障子２０の下框２２内には、ガラスパネル２４の荷重を間接的に支持する框補強材７０が設けられている。框補強材７０は、スチール等の金属製で不燃性を有し、下框２２の長手方向に沿って連続したバー状に形成されている。框補強材７０の長さ寸法は、例えばガラスパネル２４の下端の一辺の長さ寸法と同程度であるが、ガラスパネル２４の両端近傍に分けて設けてもよい。
ここで、下框２２は、鉛直な室内側面部２２１および室外側面部２２２と、これらを連結する仕切り片２８とを有している。下框２２における仕切り片２８の上方の空間は、各側面部２２１，２２２の上側部分と当該仕切り片２８とで区画され、上方に開口してガラスパネル２４の下端縁を保持する保持用開口部２６になっている。下框２２における仕切り片２８の下方の空間は、各側面部２２１，２２２の下側部分と当該仕切り片２８とで区画された中空部２７になっている。上方の保持用開口部２６内には、ガラスパネル２４の下端縁の他、この下端縁をガスケット２４１を介して保持する断面コ字形の保持材２４２が配置されている。保持材２４２もスチール等の金属製であり、不燃性を有している。下方の中空部２７内には、框補強材７０が挿入されている。
【００２６】
框補強材７０は、固定装置５０に連結される水平な連結片７１と、連結片７１の室外側端に連続して設けられて上方に突出するとともに下方に向けてコ字形に開口した支持片７２とを有し、断面柄杓形に形成されている。このような框補強材７０では、長手方向の両側にて、連結片７１部分がビス５２４によって固定装置５０に固定されている。すなわちビス５２４は、固定装置５０に下框２２を固定するのみならず、框補強材７０を固定装置５０に固定するためにも用いられる。また、ガラスパネル２４の下端縁を保持する保持材２４２は、ビス２４３によって仕切り片２８に固定されるが、このビス２４３は框補強材７０の支持片７２を仕切り片２８を介して保持材２４２と連結するためにも用いられる。この際、支持片７２の上面７２Ａは、保持用開口部２６を区画している仕切り片２８の下面２８Ａと面接触し、仕切り片２８を所定の接触面積にて確実に支持することが可能であり、ひいては仕切り片２８および保持材２４２を介してガラスパネル２４を良好に支持することとなる。
なお、図８では、框補強材７０の上下の高さ寸法を中空部２７の中空部２７と略同じにすることで、框補強材７０の上端を仕切り片２８の下面２８Ａと線接触させている。
【００２７】
［本実施形態の作用］
以下、本実施形態に係る上げ下げ窓１の作用について説明する。例えば、室外側において火災が発生した場合は次の通りである。
室外側での火災時、上げ下げ窓１は、室外から輻射熱を受けて次第に温度上昇する。特に室外側に配置された上部障子２０への熱影響が大きく、上部障子２０の下框２２を形成している室外側面部２２２の温度がアルミの溶融温度（６１５℃〜６５５℃）に達すると、この鉛直な室外側面部２２２が溶融し、図７に示すように、落下してしまうことがある。
この際、下框２２の内部には不燃性を有する框補強材７０が設けられ、その長手方向の両側が固定装置５０に連結され、固定装置５０を介して縦枠１３に固定されている。すなわち、框補強材７０は、下框２２の室外側面部２２２が溶融落下しても、下框２２の仕切り片２８および保持材２４２を介してガラスパネル２４の下端縁を支持することとなり、ガラスパネル２４が上部障子２０から脱落するのを防止する。
【００２８】
［本実施形態の効果］
このような本実施形態によれば、以下のような効果がある。
（１）上げ下げ窓１の上部障子２０においては、下框２２に設けられてガラスパネル２４の加重を受ける框補強材７０は不燃性とされ、同様に不燃性を有する固定装置５０を介して窓枠１０の左右の縦枠１３に固定されている。従って、火災時の輻射熱によって上部障子２０の下框２２を形成している室外側面部２２２が溶融落下しても、窓枠１０に固定された框補強材７０によってガラスパネル２４を継続して支持でき、框組みに嵌め込まれたガラスパネル２４が下框２２の呑込部分から外れることがなく、ガラスパネル２４の脱落を防止できる。これにより、上げ下げ窓１を耐火戸として用いることができる。
【００２９】
（２）框補強材７０は支持片７２を備え、支持片７２の上面７２Ａがガラスパネル２４保持用の保持用開口部２６を区画している仕切り片２８の下面２８Ａと面接触しているので、仕切り片２８を介して框補強材７０によりガラスパネル２４を安定して支持でき、ガラスパネル２４の脱落をより確実に防止できる。
【００３０】
（３）ガラスパネル２４を保持する保持材２４２と框補強材７０とがビス２４３にて連結されているので、下框２２の室外側面部２２２が溶融した際には、ガラスパネル２４を保持材２４２ごと框補強材７０にて確実に支持でき、保持状態をより良好に維持できる。従って、ガラスパネル２４をほぼ通常の位置で支持でき、ガラスパネル２４の位置ずれによる開口部分を一層生じにくくできる。
【００３１】
（４）框補強材７０の支持片７２は、框補強材７０の中でも室外側に設けられているので、室外側に脱落しようとするガラスパネル２４を良好に支持できる。特に、複層のガラスパネル２４は、板厚が厚く重量の大きいガラス板が室外側に配置され、ガラスパネル２４の重心は見込み方向の室外側にあるため、下框２２の室外側面部２２２が溶融した場合にガラスパネル２４が室外側に落下し易くなっている。従って、框補強材７０の中でも、支持片７２が室外側に設けられていることや、この支持片７２と保持材２４２との連結部分が室外側に位置することで、当該支持片７２によってガラスパネル２４を一層確実に支持できる。
【００３２】
［第２実施形態］
図８には、本発明の第２実施形態として、断面Ｌ字形の框補強材７０を用いた例が示されている。
本実施形態の框補強材７０は、固定装置５０に連結される水平な連結片７３と、連結片の室外側端に連続して設けられるとともに上方に向けて鉛直に立設された支持片７４とを有し、断面Ｌ字形に形成されている。支持片７４の上端は、室外側面部２２２の内面に当接するように室外側に位置している。ただし、支持片７４は、ビス２４３によって仕切り片２８および保持材２４２とは連結されていない。その他の構成は第１実施形態と同じである。
【００３３】
本実施形態においては、火災時に室外側面部２２２が溶融落下した場合、框補強材７０を形成する支持片７４の上部先端が、仕切り片２８の下面２８Ａの室外側の部分と略線接触して当接し支持する。このため、框補強材７０の形状は異なるが、その仕切り片２８および保持材２４２を介して支持片７４にてガラスパネル２４を良好に支持でき、第１実施形態の（１）の効果を同様に得ることができる。
また、支持片７４が室外側に設けられていることで、第１実施形態の（４）の効果も同様に得ることができる。さらに、框補強材７０の形状を単純化して材料コストを抑えることができる。
【００３４】
［変形例］
なお、本発明は以上の各実施形態で説明した構成のものに限定されず、本発明の目的を達成できる範囲での変形例は、本発明に含まれる。
例えば、前記各実施形態では、断面柄杓形あるいは断面Ｌ字形の長尺の一本の框補強材７０が框内に連続して用いられていたが、框補強材は框の両端部にそれぞれ短尺のものが設けられてもよく、また、その断面形状は任意であり、各実施形態の形状に限定されない。
また、金属板材の曲げ加工等で一体成形される框補強材に限らず、溶接等により一体に接合される複数部材で框補強材を構成してもよい。
【００３５】
前記各実施形態では、框補強材７０が下框２２の中空部２７内に配置されていたが、本発明に係る框補強材は、固定装置５０に連結され、かつパネル材を支持できればよいから、そのような中空部２７内に配置されていなくともよい。例えば、下框の断面形状や框補強材の断面形状を工夫することで、框補強材を下框の下面に沿って設けるなど、室内側および室外側から視認できない位置に設けつつ、框補強材の両側を固定装置に連結し、かつその框補強材によってパネル材を支持させてもよい。
【００３６】
前記各実施形態では、本発明に係るパネル材として複層のガラスパネル２４を例に挙げて説明したが、単層のガラスパネル、セラミック製のパネル材、スチール等の金属製のパネル材、自然石等のパネル材などであってもよい。
【００３７】
前記各実施形態では、アルミ製材料と樹脂製材料との複合体によって窓枠１０や障子２０，３０の框組みが構成されている例を説明したが、これに限定されず、窓枠の窓枠材や障子の框材をアルミ製や樹脂製の押出し形材のみによって構成してもよい。
【００３８】
前記各実施形態では、上部障子２０および下部障子３０を備えた上げ下げ窓１について説明したが、本発明の建具としては、上部障子、中間障子、および下部障子を備えた段窓タイプの上げ下げ窓であってもよい。このような場合では、中間障子が固定障子とされ、固定装置により窓枠に固定される。
【００３９】
前記第２実施形態では、框補強材７０の支持片７４が鉛直片として形成され、保持材２４２には連結されていなかったが、例えば、このような支持片７４の高さ方向の中間位置に室内側に延出する水平片を設け、この水平片にビス２４３を螺合させる等して框補強材７０を保持材２４２に連結してもよい。
【符号の説明】
【００４０】
１…上げ下げ窓（建具）、１０…窓枠、１３…縦枠、２０…上部障子（外障子）、２２…下框（外召合せ框）、２４…ガラスパネル（パネル材）、２６…保持用開口部、２８Ａ…下面、３０…下部障子（内障子）、３１…上框（内召合せ框）、５０…固定装置、７０…框補強材、７２…支持片、２４２…保持材。
【図１】
2018044435.tif 000003
【図２】
2018044435.tif 000004
【図３】
2018044435.tif 000005
【図４】
2018044435.tif 000006
【図５】
2018044435.tif 000007
【図６】
2018044435.tif 000008
【図７】
2018044435.tif 000009
【図８】
2018044435.tif 000010
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
窓枠内に固定された外障子と、前記外障子の室内側に沿って上下にスライドすることにより開閉可能な内障子とを備える建具であって、
前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、
前記パネル材の重心は、当該パネル材のうち見込み方向における中央よりも室外側に位置し、
前記外障子の前記下框は、前記内障子の内召合せ框の室外側に位置する外召合せ框であり、
前記下框は、前記パネル材を保持する保持用開口部と、前記保持用開口部に対して下方に位置する中空部とを仕切る仕切り片を備え、
前記中空部には、不燃性の框補強材が設けられ、
前記框補強材は、見込み方向に延びる見込み片と、前記見込み片の室外側端に連続して設けられて上方に突出するとともに下方に向けてコ字形に開口した支持片とを有する
ことを特徴とする建具。
【請求項２】
窓枠内に固定された外障子と、前記外障子の室内側に沿って上下にスライドすることにより開閉可能な内障子とを備える建具であって、
前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、
前記パネル材の重心は、当該パネル材のうち見込み方向における中央よりも室外側に位置し、
前記外障子の前記下框は、前記内障子の内召合せ框の室外側に位置する外召合せ框であり、
前記下框は、前記パネル材を保持する保持用開口部と、前記保持用開口部に対して下方に位置する中空部とを仕切る仕切り片を備え、
前記保持用開口部には、前記パネル材の下端縁を保持する不燃性の保持材が配置され、
前記中空部には、不燃性の框補強材が設けられ、
前記框補強材は、前記パネル材の見込み方向における中央よりも室外側の下方位置で前記仕切り片を介して前記保持材と連結される
ことを特徴とする建具。
【請求項３】
請求項１または請求項２に記載の建具において、
前記框補強材は、前記保持用開口部の下面と面接触する
ことを特徴とする建具。
【請求項４】
請求項１に記載の建具において、
前記下框は、前記パネル材の下端縁を保持する不燃性の保持材を備え、
前記框補強材は、前記保持材と連結される
ことを特徴とする建具。
【請求項５】
請求項１から請求項４のいずれか一項に記載の建具において、
前記パネル材は、室内側のガラス板と、前記室内側のガラス板よりも板厚が厚く重量の大きい室外側のガラス板とを有した複層のガラスパネルによって構成され、
前記室外側のガラス板、前記仕切り片および前記框補強材が上下に重なって配置される
ことを特徴とする建具。
【請求項６】
請求項４に記載の建具において、
前記パネル材は、室内側のガラス板と、前記室内側のガラス板よりも板厚が厚く重量の大きい室外側のガラス板とを有した複層のガラスパネルによって構成され、
前記保持材および前記框補強材の連結位置は、前記室外側のガラス板の下方であり、
前記框補強材のうち前記見込み片側で、前記下框と前記固定装置とが固定される
ことを特徴とする建具。
【請求項７】
請求項２、請求項４または請求項６に記載の建具において、
前記パネル材は、室内側のガラス板と、前記室内側のガラス板よりも板厚が厚く重量の大きい室外側のガラス板とを有した複層のガラスパネルによって構成され、
前記仕切り片には、上下方向において突出した突出部が形成され、
前記保持材および前記框補強材の連結位置は、前記室外側のガラス板の下方であって、前記下框の見込み方向において前記突出部と重なる位置である
ことを特徴とする建具。
【請求項８】
請求項１、請求項４または請求項６に記載の建具において、
前記框補強材の前記見込み片は水平な片である
ことを特徴とする建具。
【手続補正２】
【補正対象書類名】明細書
【補正対象項目名】０００７
【補正方法】変更
【補正の内容】
【０００７】
第１の本発明の建具は、窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記パネル材の重心は、当該パネル材のうち見込み方向における中央よりも室外側に位置し、前記外障子の下框は、前記内障子の内召合せ框の室外側に位置する外召合せ框であり、前記下框は、前記パネル材を保持する保持用開口部と、前記保持用開口部に対して下方に位置する中空部とを仕切る仕切り片を備え、前記中空部には、不燃性の框補強材が設けられ、前記框補強材は、見込み方向に延びる見込み片と、前記見込み片の室外側端に連続して設けられて上方に突出するとともに下方に向けてコ字形に開口した支持片とを有することを特徴とする。
この本発明の建具によれば、下框に設けられてパネル材の荷重を受ける框補強材は不燃性とされる。従って、火災時の輻射熱によって外障子の下框が室外側から溶融しても、框補強材の支持片によってパネル材を継続して支持でき、框組みに嵌め込まれたパネル材が下框の呑込部分から外れることがなく、パネル材の脱落を防止できる。
また、建具として、窓枠と、この窓枠内に固定される外障子と、窓枠内に上下スライド開閉する内障子とを備えた上げ下げ窓とすることができ、防火戸として利用可能な上げ下げ窓を提供できる。
【手続補正３】
【補正対象書類名】明細書
【補正対象項目名】０００８
【補正方法】変更
【補正の内容】
【０００８】
第２の本発明の建具は、窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記パネル材の重心は、当該パネル材のうち見込み方向における中央よりも室外側に位置し、前記外障子の下框は、前記内障子の内召合せ框の室外側に位置する外召合せ框であり、前記下框は、前記パネル材を保持する保持用開口部と、前記保持用開口部に対して下方に位置する中空部とを仕切る仕切り片を備え、前記保持用開口部には、前記パネル材の下端縁を保持する不燃性の保持材が配置され、前記中空部には、不燃性の框補強材が設けられ、前記框補強材は、前記パネル材の見込み方向における中央よりも室外側の下方位置で前記仕切り片を介して前記保持材と連結されることを特徴とする。
この本発明の建具によれば、下框に設けられてパネル材の荷重を受ける框補強材は不燃性とされる。従って、火災時の輻射熱によって外障子の下框が室外側から溶融しても、框補強材によってパネル材を継続して支持でき、框組みに嵌め込まれたパネル材が下框の呑込部分から外れることがなく、パネル材の脱落を防止できる。
また、建具として、窓枠と、この窓枠内に固定される外障子と、窓枠内に上下スライド開閉する内障子とを備えた上げ下げ窓とすることができ、防火戸として利用可能な上げ下げ窓を提供できる。
【手続補正４】
【補正対象書類名】明細書
【補正対象項目名】０００９
【補正方法】変更
【補正の内容】
【０００９】
本発明の建具では、前記框補強材は、前記保持用開口部の下面と面接触することが好ましい。
このような構成によれば、框補強材が保持用開口部の下面と面接触することで、パネル材を安定して支持でき、パネル材の脱落をより確実に防止できる。
【手続補正５】
【補正対象書類名】明細書
【補正対象項目名】００１０
【補正方法】変更
【補正の内容】
【００１０】
本発明の建具では、前記下框は、前記パネル材の下端縁を保持する不燃性の保持材を備え、前記框補強材は、前記保持材と連結されることが好ましい。
このような構成によれば、パネル材を保持する保持材と框補強材とが連結されるので、下框が溶融した際には、パネル材を保持材ごと框補強材にて確実に支持でき、保持状態をより良好に維持できる。従って、パネル材をほぼ通常の位置で支持でき、パネル材の位置ずれによる開口部分を一層生じにくくできる。
【手続補正６】
【補正対象書類名】明細書
【補正対象項目名】００１１
【補正方法】変更
【補正の内容】
【００１１】
本発明の建具では、前記パネル材は、室内側のガラス板と、前記室内側のガラス板よりも板厚が厚く重量の大きい室外側のガラス板とを有した複層のガラスパネルによって構成され、前記室外側のガラス板、前記仕切り片および前記框補強材が上下に重なって配置されていてもよい。
また、本発明の建具では、前記パネル材は、室内側のガラス板と、前記室内側のガラス板よりも板厚が厚く重量の大きい室外側のガラス板とを有した複層のガラスパネルによって構成され、前記保持材および前記框補強材の連結位置は、前記室外側のガラス板の下方であり、前記框補強材のうち前記見込み片側で、前記下框と前記固定装置とが固定されていてもよい。
更に、本発明の建具では、前記パネル材は、室内側のガラス板と、前記室内側のガラス板よりも板厚が厚く重量の大きい室外側のガラス板とを有した複層のガラスパネルによって構成され、前記仕切り片には、上下方向において突出した突出部が形成され、前記保持材および前記框補強材の連結位置は、前記室外側のガラス板の下方であって、前記下框の見込み方向において前記突出部と重なる位置であってもよい。
加えて、本発明の建具では、前記框補強材の前記見込み片は水平な片であってもよい。